(57)【要約】　　【課題】　本発明の課題は、取扱および使用に簡便で、また保管および管理が容易なマニキュアリムーバーを提供することである。　　【解決手段】　本発明の課題は、上端に開口部が形成されているリムーバー本体と、　前記リムーバー本体に収納され、リムーバー本体の開口部を通って当該リムーバー本体の外部に露出されるように巻かれる不織布と、前記リムーバー本体の開口部側に出口が向かうようにリムーバー本体の内部に取付けられ、リムーバー溶液を前記不織布に供給するリムーバー溶液の貯蔵容器と、前記リムーバー本体の前記開口部に結合され、前記リムーバー溶液の前記貯蔵容器を開閉して前記不織布にリムーバー溶液を供給するためのヘッドとを備えることを特徴とする携帯用マニキュアリムーバーによって解決される。【選択図】　図２
2004081862.tif 000002
【特許請求の範囲】
【請求項１】
上端に開口部が形成されているリムーバー本体と、
　前記リムーバー本体に収納され、当該リムーバー本体の前記開口部を通って当該リムーバー本体の外部に露出されるように配置された不織布と、
　出口を有するリムーバー溶液の貯蔵容器であって、当該出口が前記リムーバー本体の開口部側に向くように前記リムーバー本体の内部に取付けられたリムーバー溶液貯蔵用の貯蔵容器と、
　前記リムーバー本体の前記開口部に結合され、前記リムーバー溶液の前記貯蔵容器を開閉して前記不織布に前記リムーバー溶液を供給するためのヘッドと
を備えることを特徴とする携帯用マニキュアリムーバー。
【請求項２】
前記リムーバー本体内において、前記開口部側に前記不織布を供給する供給ロールと、当該供給ロールから巻戻しによって供給される不織布を巻取ることによって回収する回収ロールとが取付けられた請求項１記載の携帯用マニキュアリムーバー。
【請求項３】
前記リムーバー本体の片側のケースにおいて、前記回収ロールの周囲に逆回転防止段差が形成され、当該逆回転防止段差に逆回転防止レバーが取付けられた請求項２記載の携帯用マニキュアリムーバー。
【請求項４】
前記リムーバー本体の前記片側ケースに対応する別のケースにおいて、位置調節孔が形成され、前記リムーバー溶液の前記貯蔵容器には前記位置調節孔を通って外部に突出される位置調節突起が形成された請求項１記載の携帯用マニキュアリムーバー。
【請求項５】
前記リムーバー本体に結合される前記ヘッドには、前記リムーバー溶液の貯蔵容器の出口を開閉する栓部が一体的に形成され、前記ヘッドの片側の傾斜部には、前記リムーバー溶液の前記貯蔵容器から供給されるリムーバー溶液を排出する多数の排出孔が形成された請求項１記載の携帯用マニキュアリムーバー。
【請求項６】
前記リムーバー本体の下端には、リムーバー本体を直立状態に立てることができる下敷きが形成された請求項1〜5のいずれかに記載の携帯用マニキュアリムーバー。
【請求項７】
前記リムーバー本体の開口部には、前記ヘッドを覆うヘッドキャップがさらに備えられた請求項1〜5のいずれかに記載の携帯用マニキュアリムーバー。
【発明の詳細な説明】
【技術分野】
【０００１】
　本発明は、マニキュアリムーバーに関し、より詳細には、取扱および使用が簡便であってかつ保管が容易な携帯用マニキュアリムーバーに関する。
【背景技術】
【０００２】
　一般的に、マニキュアは、アセトン成分を含有するリムーバー（remover）溶液を染み込ませた布切れや、脱脂綿や、ティッシュペーパーなどを用いて、除去している。
【０００３】
　従来技術によれば、綿棒などにおいてリムーバー溶液が湿潤した状態でマニキュアを除去する動作を行っているため、リムーバー溶液が全部蒸発すると、リムーバー溶液を貯蔵している容器の栓を再び開口してリムーバー溶液を浸した後、もう一回容器の栓をしなければならず、さらに、リムーバー溶液をその度に綿棒に浸す動作を繰り返さなければならない不便があった。
【０００４】
　また従来技術によれば、リムーバー溶液の貯蔵容器（受容容器）と綿棒等を別々に保管しなければならなかったため、保管および管理が煩わしい問題があった。
【発明の開示】
【発明が解決しようとする課題】
【０００５】
　本発明の課題は、前記した問題に鑑み、取扱および使用に簡便なマニキュアリムーバーを提供することである。
　また、本発明の他の課題は、保管が容易で、管理が容易なマニキュアリムーバーを提供することである。
【課題を解決するための手段】
【０００６】
　本発明者は、前記課題を達成すべく、鋭意検討した結果、マニキュア除去用の布と、リムーバー溶液を貯蔵する貯蔵容器と、布をリール形式で供給する２つのロールと、リムーバー溶液を貯蔵容器から布に供給して当該布を湿潤させる機構とを、１つのリムーバー装置内に設けることにより、前記課題を達成できることを見出し、この知見に基づき、本発明が完成するに至ったのである。
【０００７】
　すなわち、本発明は、携帯用マニキュアリムーバーを提供する。本発明の携帯用マニキュアリムーバーは、上端に開口部が形成されているリムーバー本体と、
　前記リムーバー本体に収納され、リムーバー本体の開口部を通って当該リムーバー本体の外部に露出されるように巻かれる不織布と、
　前記リムーバー本体の開口部側に出口が向かうようにリムーバー本体の内部に取付けられ、リムーバー溶液を前記不織布に供給するリムーバー溶液の貯蔵容器と、
　前記リムーバー本体の前記開口部に結合され、前記リムーバー溶液の前記貯蔵容器を開閉して前記不織布にリムーバー溶液を供給するためのヘッドと
を備えることを特徴とする。
【発明の効果】
【０００８】
　本発明の携帯用マニキュアリムーバーは、リムーバー溶液の貯蔵容器と布、特に不織布とを備えることによって、必要によりリムーバー溶液を簡便に不織布に供給するようにし、不織布も使用状態に応じてリール形式で供給されるため、取扱および使用が簡便になる効果がある。
　また、本発明は、リムーバー溶液の貯蔵容器と不織布とが、リムーバー本体の内部に備えられる携帯用であるため、ハンドバッグに保管したり、携帯したり、また所定の場所に保管し管理することが便利となる効果がある。
【発明を実施するための最良の形態】
【０００９】
　好ましくは、前記不織布が巻いてあるリムーバー本体の開口部側に、不織布を供給する供給ロール、および前記供給ロールから解けて出る不織布を回収する回収ロールを含むことが望ましい。
　好ましくは、前記リムーバー本体側には逆回転防止段差が形成され、前記回収ロールには前記逆回転防止段差により逆回転を防止する逆回転防止レバーが備えられることが望ましい。
　好ましくは、前記リムーバー本体の片側ケースには位置調節孔が形成され、前記リムーバー溶液の貯蔵容器には前記位置調節孔を通じて外部へ突出される位置調節突起が形成されることが望ましい。
　前記リムーバー本体に結合されるヘッドには、前記リムーバー溶液の貯蔵容器の出口を開閉する栓部が一体に形成され、前記ヘッドの一側には、前記リムーバー溶液の貯蔵容器から供給されるリムーバー溶液を排出する多数の排出孔が形成されることが望ましい。
　前記リムーバー本体の下端には、リムーバー本体を直立状態に立てることができる下敷きが形成されることが望ましい。
　前記リムーバー本体の上端開口部には、ヘッドを覆うヘッドキャップが備えられることが望ましい。
【００１０】
　次に、添付の図面を参照しながら、本発明の実施形態を説明し、本発明を更に詳しく説明する。
　図１は、本発明の携帯用マニキュアリムーバーの分解斜視図であり、図２は、本発明の携帯用マニキュアリムーバーの断面図であり、図３および図４は、本発明の携帯用マニキュアリムーバーの動作を示した断面図であって、図３は、リムーバー溶液が供給されない状態の断面図であり、図４はリムーバー溶液が供給される状態の断面図である。
【００１１】
　図１および図２に示すように、本発明の実施形態は、２つのケースが結合されるように構成されたリムーバー本体１０の上端に開口部１１が形成されており、リムーバー本体１０の下端には台形の下敷き１２が一体的に形成されている。
【００１２】
　リムーバー本体１０は、その内部において、リムーバー溶液が貯蔵（受納）されるリムーバー溶液の貯蔵容器２０を備える。リムーバー溶液の貯蔵容器２０の下方には、不織布４０を供給する供給ロール４１と、不織布４０を回収する回収ロール４２とが取付けられている。リムーバー本体１０の開口部１１には、ヘッド３０が結合されており、ヘッド３０の上部にはヘッドキャップ５０が覆われている。
【００１３】
　リムーバー本体１０は、下部から上部に行くほどに幅が小さくなり、かつ片側の方向に曲がるように形成されており、上端に形成されている開口部１１は、リムーバー本体１０が直立した状態で、リムーバー溶液が供給されることができる程度に傾いている状態に取付けられている。
【００１４】
　リムーバー溶液の貯蔵容器２０は、その出口２１と、リムーバー本体１０の開口部１１とが一致するように（すなわち、出口２１が開口部１１内に収納され、出口２１と開口部１１とが同一方向を向くように）略直立した状態で取付けられている。
【００１５】
　ヘッド３０には、リムーバー溶液の貯蔵容器２０の出口２１を開閉させる栓部３１が一体に形成されており、ヘッド３０の露出部分である傾斜部３２にはリムーバー溶液を排出させる多数の排出孔３３が形成されている。
　ヘッド３０には、貯蔵容器２０の出口２１が嵌入されており、この貯蔵容器２０の出口２１には、ヘッド３０の栓部３１が嵌入されている。
【００１６】
　供給ロール４１から巻戻しによって供給される不織布４０は、開口部１１を通過してヘッド３０の外側面に沿って移動した後、再度、開口部１１を通過して、回収ロール４２によって巻取られて当該回収ロール４２に回収されるように、配置される。
【００１７】
　リムーバー本体１０の片側ケースには、不織布４０が供給ロール４１から巻戻しによって供給されて回収ロール４２に巻取られる回収ロール４２・回転方向に対し、逆の回転を防止するための逆回転防止段差（溝）１３が、回収ロール４２に対応する位置（回収ロール４２を包囲するような位置）に形成されている。かかる回収ロール４２には、逆回転防止段差１３に、反時計方向にのみ移動しうる逆回転防止レバー４３が取付けられている。
【００１８】
　また、リムーバー本体１０の前記片側ケースに対応するの別のケースには、位置調節孔１４が形成されており、これに対応されるリムーバー溶液の貯蔵容器２０には位置調節孔１４を貫通する位置調節突起２２が形成されている。
【００１９】
　以上のように構成した本発明の携帯用マニキュアリムーバーの動作を説明する。
　不織布を供給する動作は、図２に示すように、供給ロール４１を時計方向に回転させると、供給ロール４１と歯車で噛合されている回収ロール４２は、反時計方向に回転される。
【００２０】
　これに従い、供給ロール４１に巻いてある不織布４０は、巻戻しによって供給されると共に、ヘッドの傾斜部３２と接している部分の不織布４０は、前方に移動し、回収ロール４２によって巻取られる。その際、逆回転防止レバー４３が逆回転防止段差１３により時計方向への動作を制止され、その結果、回収ロール４２は、反時計方向にのみ回転されるため、供給ロール４１および回収ロール４２の逆方向の回転が防止される。
【００２１】
　図３は、リムーバー溶液の貯蔵容器２０の位置調節突起２２をヘッド３０側に移動させた状態の断面図であって、ヘッド３０の栓部３１がリムーバー溶液の貯蔵容器２０の出口２１を塞いでいる状態である。
　この状態から、リムーバー本体１０を傾け、図４に示すように、リムーバー溶液の貯蔵容器２０の位置調節突起２２をヘッド３０の反対側へ移動させると、リムーバー溶液の貯蔵容器２０の出口２１が開放され、リムーバー溶液の貯蔵容器２０からリムーバー溶液が下方向へ流れ、次いでヘッド３０の排出孔３３を通ってヘッド３０の外側面に沿って巻かれた不織布４０に染み込む。
【００２２】
　一定量のリムーバー溶液が不織布４０に供給された後には、リムーバー本体１０を直立状態に立ててマニキュアを除去できるようになる。また、不織布２０にリムーバー溶液をさらに供給しようとする場合には、リムーバー本体１０を少し傾けるように位置させて、リムーバー溶液の貯蔵容器２０からリムーバー溶液がヘッド３０を通して不織布４０に供給されるようにする。
　このようにして、リムーバー溶液がヘッド３０の排出孔３３を通して持続的に開口部１１に露出されている不織布４０に供給され、リムーバー溶液が湿潤した不織布４０によってマニキュアを除去することができるようになる。
【００２３】
　携帯用マニキュアリムーバーの使用後には、位置調節突起２２を開口部１１側へ移動させリムーバー溶液の貯蔵容器２０の出口２１を閉めた後、ヘッドキャップ５０をもってヘッド３０を覆ってハンドバッグなどに簡便に保管することができる。
【産業上の利用可能性】
【００２４】
　本発明の携帯用マニキュアリムーバーは、マニキュアの除去するための携帯用リムーバーとして使用することができる。
【図面の簡単な説明】
【００２５】
【図１】本発明の携帯用マニキュアリムーバーの分解斜視図。
【図２】本発明による携帯用マニキュアリムーバーの断面図。
【図３】リムーバー溶液が供給されない状態の本願発明の携帯用マニキュアリムーバーを示す断面図。
【図４】リムーバー溶液が供給される状態の本願発明の携帯用マニキュアリムーバーを示す断面図。
【符号の説明】
【００２６】
１０：リムーバー本体
１１：開口部
１２：下敷き
１３：逆回転防止段差
１４：位置調節孔
２０：リムーバー溶液の貯蔵容器
２１：出口
２２：位置調節突起
３０：ヘッド
３１：栓部
３２：傾斜部
３３：排出孔
４０：不織布
４１：供給ロール
４２：回収ロール
４３：逆回転防止レバー
５０：ヘッドキャップ
【図１】
2004081862.tif 000003
【図２】
2004081862.tif 000004
【図３】
2004081862.tif 000005
【図４】
2004081862.tif 000006